(57)【要約】      （修正有）【課題】シャツやブラウス等の上衣の裾がずり上がるのを防ぐ器具を提供する。【解決手段】シャツやブラウスなどを着用した上から、弾性のあるメインバンド材１を着用者の腰部に巻きつけ、メインバンド材１の両端に取り付けられた面ファスナー雄部３、雌部４により固定する。この際、弾性のあるサブバンド材２を腰部背面から股間を通して臀部もしくは腰部前面へと回し、サブバンド材２の先端部に取り付けられた面ファスナー雄部５を雌部４に固定し、しかるのちに雄部３、雌部４により面ファスナー雄部５を挟み込むように固定する。トイレ等で該器具をはずす必要のある場合には、面ファスナー３、５を外す。この際、面ファスナー５を外した後に面ファスナー３と４を再び固定すれば、メインバンド材１を外すことなく用を足すことが可能である。【選択図】図１
0003167346.tif 000002
【実用新案登録請求の範囲】
【請求項１】
伸縮性のあるベルト材の一端にマジックテープ雄部を取り付け、他端にマジックテープ雌部を取り付け、ベルト材の中間部に伸縮性があり先端にマジックテープ（雄部もしくは雌部）をつけたバンド材を取り付けたことを特徴とするシャツずり上がり防止具。
【考案の詳細な説明】
【技術分野】
【０００１】  本考案は、シャツやブラウス等の上衣の裾がずり上がるのを防ぐ器具に関する。
【背景技術】
【０００２】  シャツやブラウス等の上衣は着用中に着用者の運動により頻繁にずり上がる。これを防止するために従来はベルト型、ガーター型、ショーツ型などさまざまな方策が考えられてきたが、それらは着脱の利便性やコスト、快適性において改善の余地のあるものであった。
【先行技術文献】
【特許文献】
【０００３】
【特許文献１】特開２００６−２４１６４７
【考案の概要】
【考案が解決しようとする課題】
【０００４】  本考案が解決しようとする課題は、上述の先行技術の問題を解決し、快適性、利便性、コストパフォーマンスを両立しつつ、シャツやブラウス等のずり上がりを防止する器具を提供することにある。
【課題を解決するための手段】
【０００５】  上述の課題を解決するために、本考案では防止具の素材にゴムなどの伸縮性のある素材を用いて腰回りと股間部分に装着することで、シャツ類の裾の動きを抑える。また腰回りの部分と股間部分の一部をマジックテープにより着脱可能とすることで、従来の技術の多くの欠点を克服している。
【考案の効果】
【０００６】  従来みられた腰周りをバンド型で抑える先行技術に比べ、股間を通す補助部品の採用によってずり上がりを防止する効果と安定性が高まった。【０００７】  伸縮性のある素材を用いることで、サイズ調整が容易であり、また着脱部位に長さのあるマジックテープを用いることで、この着脱部位によってもサイズの微調整が可能である。この２点によって、着用者の体型によらずちょうどよいフィット感を得ることができる。【０００８】  従来の技術と比較し、器具の大きさがコンパクトかつ軽量になることで、着用者のストレスや違和感を最小限に抑えることができる。これは、仕事などで長時間シャツを着用しなければならないビジネスマンなどにとって大きな利点であると考えられる。また従来よくみられた下着の上に下着を重ねるような形につきものの夏季の暑さなどによる蒸れを緩和することもできる。【０００９】  マジックテープを用いる接合部分はすばやい着脱を可能にする。またマジックテープ部分を長くとることにより、体格の個人差にかかわらず調節および装着が可能である。また、接合部分を従来技術において多くみられるプラスチック製の部品や金属性の金具などからマジックテープに変えることにより、着座時や横臥時にも金具による苦痛を伴わず、着用者に金属アレルギーがあったとしてもストレスなく装着可能である。【００１０】  金属特有の錆などの欠点がないため洗濯機などの使用に耐え、長く使えて経済的である。【００１１】  伸縮素材とマジックテープが主な材料となることから、開発・販売が非常に安価であり、より広い普及を見込むことが出来る。【００１２】  大型の金具や把持具、係止具を用いないことで、洋服の外側にあらわれにくい。
【図面の簡単な説明】
【００１３】
【図１】実施例の立体図である。
【図２】実施例の正面図である。
【図３】実施例の背面図である。
【考案を実施するための形態】
【００１４】  本考案の一実施形態を図１、図２、図３を用いて説明する。図１は着用時を想定した立体図、図２は正面図、図３は背面図である。
【００１５】  図中、１はゴム繊維などの弾性のあるバンド材、２は１の中間部に接続されたゴム繊維など弾性のあるバンド材、３は１のバンド材の一端に取り付けられたマジックテープ雄部、４は１のバンド材の他端に取り付けられたマジックテープ雌部、５は２のバンド材先端部に取り付けられたマジックテープ雄部である。
【００１６】  この実施例では、シャツやブラウスなどを着用した上から、弾性のあるバンド材１を着用者の腰部に巻きつけ、１の両端に取り付けられたマジックテープ雄部３、雌部４により固定する。この際、弾性のあるバンド材２を腰部背面から股間を通して臀部もしくは腰部前面へと回し、２の先端部に取り付けられたマジックテープ雄部５を雌部４に固定し、しかるのちに雄部３、雌部４により５を挟み込むように固定する。
【００１７】  トイレ等で本考案の器具をはずす必要のある場合には、マジックテープ３、５を外す。この際、５を外した後に３と４を再び固定すれば、メインバンド１自体を外すことなく用を足すことが可能である。
【符号の説明】
【００１８】１  メインバンド材
２  サブバンド材
３  マジックテープの雄部
４  マジックテープの雌部
５  マジックテープの雄部
【図１】
0003167346.tif 000003
【図２】
0003167346.tif 000004
【図３】
0003167346.tif 000005
【手続補正書】
【提出日】平成22年12月22日(2010.12.22)
【手続補正１】
【補正対象書類名】実用新案登録請求の範囲
【補正対象項目名】請求項１
【補正方法】変更
【補正の内容】
【請求項１】
伸縮性のあるベルト材の一端に面ファスナー雄部を取り付け、他端に面ファスナー雌部を取り付け、ベルト材の中間部に伸縮性があり先端に面ファスナー（面ファスナーの雄部もしくは面ファスナーの雌部）をつけたバンド材を取り付けたことを特徴とするシャツずり上がり防止具。
【手続補正２】
【補正対象書類名】明細書
【補正対象項目名】０００５
【補正方法】変更
【補正の内容】
【０００５】  上述の課題を解決するために、本考案では防止具の素材にゴムなどの伸縮性のある素材を用いて腰回りと股間部分に装着することで、シャツ類の裾の動きを抑える。また腰回りの部分と股間部分の一部を面ファスナーにより着脱可能とすることで、従来の技術の多くの欠点を克服している。
【手続補正３】
【補正対象書類名】明細書
【補正対象項目名】０００７
【補正方法】変更
【補正の内容】
【０００７】伸縮性のある素材を用いることで、サイズ調整が容易であり、また着脱部位に長さのある面ファスナーを用いることで、この着脱部位によってもサイズの微調整が可能である。この２点によって、着用者の体型によらずちょうどよいフィット感を得ることができる。
【手続補正４】
【補正対象書類名】明細書
【補正対象項目名】０００９
【補正方法】変更
【補正の内容】
【０００９】面ファスナーを用いる接合部分はすばやい着脱を可能にする。また面ファスナー部分を長くとることにより、体格の個人差にかかわらず調節および装着が可能である。また、接合部分を従来技術において多くみられるプラスチック製の部品や金属性の金具などから面ファスナーに変えることにより、着座時や横臥時にも金具による苦痛を伴わず、着用者に金属アレルギーがあったとしてもストレスなく装着可能である。
【手続補正５】
【補正対象書類名】明細書
【補正対象項目名】００１１
【補正方法】変更
【補正の内容】
【００１１】伸縮素材と面ファスナーが主な材料となることから、開発・販売が非常に安価であり、より広い普及を見込むことが出来る。
【手続補正６】
【補正対象書類名】明細書
【補正対象項目名】００１５
【補正方法】変更
【補正の内容】
【００１５】図中、１はゴム繊維などの弾性のあるバンド材、２は１の中間部に接続されたゴム繊維など弾性のあるバンド材、３は１のバンド材の一端に取り付けられた面ファスナー雄部、４は１のバンド材の他端に取り付けられた面ファスナー雌部、５は２のバンド材先端部に取り付けられた面ファスナー雄部である。
【手続補正７】
【補正対象書類名】明細書
【補正対象項目名】００１６
【補正方法】変更
【補正の内容】
【００１６】この実施例では、シャツやブラウスなどを着用した上から、弾性のあるバンド材１を着用者の腰部に巻きつけ、１の両端に取り付けられた面ファスナー雄部３、雌部４により固定する。この際、弾性のあるバンド材２を腰部背面から股間を通して臀部もしくは腰部前面へと回し、２の先端部に取り付けられた面ファスナー雄部５を雌部４に固定し、しかるのちに雄部３、雌部４により５を挟み込むように固定する。
【手続補正８】
【補正対象書類名】明細書
【補正対象項目名】００１７
【補正方法】変更
【補正の内容】
【００１７】
トイレ等で本考案の器具をはずす必要のある場合には、面ファスナー３、５を外す。
この際、５を外した後に３と４を再び固定すれば、メインバンド１自体を外すことなく用を足すことが可能である。
【符号の説明】
【手続補正９】
【補正対象書類名】明細書
【補正対象項目名】００１８
【補正方法】変更
【補正の内容】
【００１８】１  メインバンド材
２  サブバンド材
３  面ファスナーの雄部
４  面ファスナーの雌部
５  面ファスナーの雄部